(57)【要約】【課題】  工具の落下を防止可能な工具補助具を提供することである。【解決手段】  工具の落下を防止する工具補助具であって、工具を着脱自在に固定する工具固定部と、作業者の衣服の一部に着脱自在に固定する衣服固定部と、該工具固定部と該衣服固定部とをフレキシブルに連結するフレキシブル連結部と、から構成されることを特徴とする。【選択図】図３
2011230246.tif 000002
【特許請求の範囲】
【請求項１】
工具の落下を防止する工具補助具であって、
工具を着脱自在に固定する工具固定部と、
作業者の衣服の一部に着脱自在に固定する衣服固定部と、
該工具固定部と該衣服固定部とをフレキシブルに連結するフレキシブル連結部と、
から構成されることを特徴とする工具補助具。
【請求項２】
該工具固定部は、工具の柄に巻かれ工具を締め付ける締結帯と、該締結帯から延在し締め付けた状態を維持するフック面とループ面からなる面ファスナーの一方が形成されたストッパー帯とを含み、該締結帯及び該ストッパー帯の裏面には該面ファスナーの他方が形成されており、
該衣服固定部は、シャツ等の袖口を挟むクリップで構成され、
該フレキシブル連結部は、紐で構成されて該工具固定部と該衣服固定部とを連結する請求項１記載の工具補助具。
【発明の詳細な説明】
【技術分野】
【０００１】
本発明は、作業中に工具の落下を防止する工具補助具に関する。
【背景技術】
【０００２】
ＩＣ、ＬＳＩ等の複数のデバイスが分割予定ラインによって区画されて表面に形成された半導体ウエーハは、研削装置によって裏面が研削されて所定の厚みに形成された後、ダイシング装置によって個々のデバイスに分割され、分割されたデバイスは携帯電話、パソコン等の電気機器に利用される。
【０００３】
研削装置はウエーハを吸引保持するチャックテーブルと、該チャックテーブルに保持されたウエーハに研削水を供給しながらウエーハを研削する研削手段と、チャックテーブルにウエーハを搬送する搬送手段と、チャックテーブルから研削済みのウエーハを搬出する搬出手段と、搬出されたウエーハに洗浄水を供給して洗浄する洗浄手段とから概ね構成されていて、ウエーハを所望の厚みに加工することができる。
【０００４】
また、ダイシング装置は、ウエーハを吸引保持するチャックテーブルと、チャックテーブルに吸引保持されたウエーハに切削水を供給しながらウエーハを切削する切削手段と、チャックテーブルにウエーハを搬送する搬送手段と、チャックテーブルから切削済みのウエーハを搬出する搬出手段と、搬出されたウエーハに洗浄水を供給して洗浄する洗浄手段とから概ね形成されていて、ウエーハを個々のデバイスに高精度に分割することができる。
【０００５】
このような研削装置、ダイシング装置等の加工装置には、器具を覆うカバー、エアー配管、水配管、吸引配管、配線、駆動部等の部品が巡らされていて、定期的にメンテナンスを行う必要があり、更に故障した場合にはこれらの部品の修理を行う必要がある。
【先行技術文献】
【特許文献】
【０００６】
【特許文献１】特開平１−２０５９５０号公報
【特許文献１】特開昭５５−１１２７６１号公報
【発明の概要】
【発明が解決しようとする課題】
【０００７】
上述したような加工装置のメンテナンス、修理等を行う場合、作業性の悪い場所に工具を入れて分解又は取り付け作業を行うことがよくある。ところが、作業中に工具を落下させることがあり、一旦落下させると工具を回収できなくなることがあるという問題がある。
【０００８】
本発明はこのような点に鑑みてなされたものであり、その目的とするところは、作業中に工具の落下を防止可能な工具補助具を提供することである。
【課題を解決するための手段】
【０００９】
本発明によると、工具の落下を防止する工具補助具であって、工具を着脱自在に固定する工具固定部と、作業者の衣服の一部に着脱自在に固定する衣服固定部と、該工具固定部と該衣服固定部とをフレキシブルに連結するフレキシブル連結部と、から構成されることを特徴とする工具補助具が提供される。
【００１０】
好ましくは、該工具固定部は、工具の柄に巻かれ工具を締め付ける締結帯と、該締結帯から延在し締め付けた状態を維持するフック面とループ面からなる面ファスナーの一方が形成されたストッパー帯とを含み、該締結帯及び該ストッパー帯の裏面には該面ファスナーの他方が形成されており、該衣服固定部は、シャツ等の袖口を挟むクリップで構成され、該フレキシブル連結部は、紐で構成されて該工具固定部と該衣服固定部とを連結する。
【発明の効果】
【００１１】
本発明によると、工具補助具によって工具と作業者の衣服とが常に連結されているので、作業性の悪い狭い場所に工具をいれて分解作業又は取り付け作業を行って工具を落下させても、フレキシブル連結部を引き上げることで容易に工具を回収することができる。
【図面の簡単な説明】
【００１２】
【図１】本発明実施形態に係る工具補助具の全体構成図である。
【図２】工具補助具の締結帯でスパナの柄を巻き込んでいる状態の説明図である。
【図３】作業者の袖口に工具補助具をクリップで留めた状態を示す説明図である。
【発明を実施するための形態】
【００１３】
図１を参照すると、本発明実施形態に係る工具補助具２の全体構成図が示されている。工具補助具２は、工具を着脱自在に固定する工具固定部４と、作業者の衣服に着脱自在に固定する衣服固定部６と、工具固定部４と衣服固定部６とをフレキシブルに連結するフレキシブル連結部７とから構成される。
【００１４】
工具固定部４は帯状部材８から構成され、帯状部材８は工具のステム（柄）に巻かれて工具を締め付けるゴム又は皮等の滑り止め部材が縫い付けられた締結帯１０と、締結帯１０から延在し締め付けた状態を維持する面ファスナーのフック面１３が形成されたストッパー帯１２とを含んでいる。フック面１３には多数のフックが形成されている。
【００１５】
帯状部材８の裏面には、図２に示すように面ファスナーのループ面１４が形成されている。ループ面１４には多数のループが形成されている。ストッパー帯１２の表面にループ面を形成し、帯状部材８の裏面にフック面を形成するようにしてもよい。
【００１６】
締結帯１２の端部には穴１６が形成されており、この穴１６中に紐１８の一端部が挿通されて、紐１８が工具固定具４に係合している。紐１８の他端部は衣服固定部を構成するクリップ２０の穴２０ａに挿通されて、紐１８がクリップ２０に係合している。紐１８はフレキシブルチューブ２２中に挿入されており、紐１８とフレキシブルチューブ２２でフレキシブル連結部７を構成する。
【００１７】
以下、このように構成された工具補助具２の使い方について説明する。まず、図３に示すように、工具補助具２のクリップ２０で作業者の袖口２８を挟み込む。この状態で、図２に示すように、工具補助具２の締結帯１０でスパナ２４のステム（柄）２６を巻き込んで締め付け、図３に示すように更に巻き込んで帯状部材８の裏面に形成されたループ面１４をストッパー帯１２に形成されたフック面１３に係止して締め付けた状態を維持する。
【００１８】
作業者はこの状態で作業性の悪い狭い場所にスパナ２４を入れて部品の分解作業又は取り付け作業を実施する。作業中にスパナ２４が落下しても、スパナ２４は工具補助具２の工具固定部４で固定されているため、フレキシブル連結部７を引き上げることでスパナ２４を容易に回収することができる。
【符号の説明】
【００１９】
２    工具補助具
４    工具固定部
６    衣服固定部
７    フレキシブル連結部
８    帯状部材
１０    締結帯
１２    ストッパー帯
１３    フック面
１４    ループ面
１８    紐
２０    クリップ
２２    フレキシブルチューブ
２４    スパナ
２６    ステム（柄）
２８    袖口
【図１】
2011230246.tif 000003
【図２】
2011230246.tif 000004
【図３】
2011230246.tif 000005